(57)【特許請求の範囲】
【請求項１】
液晶表示素子を構成する画素をマトリックス状に配列した液晶表示素子と、入力映像信号を水平方向へサンプリングすることにより前記液晶表示素子の画素を水平配列方向へ駆動する水平ドライバと、前記入力映像信号を水平ライン単位でサンプリングするように前記液晶表示素子の画素を行単位で指定して垂直方向へドライブする垂直ドライバと、前記液晶表示素子に映し出される映像部分の周囲に開口部を有するマスク部材を用いた液晶表示装置であって、液晶表示素子に映し出される映像部分の周囲に黒表示部を形成し、前記マスク部材の開口部に対して左右（水平方向）の黒表示部が前記開口部から均等に配置されるように調整可能な画面表示位置調整回路を有する液晶表示装置。
【発明の詳細な説明】
【０００１】
【発明の属する技術分野】
本発明は映像を表示するために使用する画面位置調整回路を有する液晶表示装置に関するものである。
【０００２】
【従来の技術】
図１は従来技術による液晶表示装置の上面図（部分）（Ａ）と正面断面図（部分）（Ｂ）及び駆動回路のタイミングチャートであり、（Ｃ）はビデオ（Ｖｉｄｅｏ）信号、（Ｄ）は水平同期（ＨＤ）信号、（Ｅ）は映像表示部サンプリング（ＨＰＯＳ）信号、（Ｆ）は画素に映し出される映像信号である。
【０００３】
液晶表示素子は上基板１、下基板２、シール部材３、液晶４で構成されている。上基板１と下基板２をシール部材３で貼り合わせ、内部空間に液晶４を注入してある。液晶表示素子の外縁部には貼り合わせのためにシール部材３があるので、表示部位の品位を上げるために液晶表示素子の上部外周には、表示部位を規制する開口部５ａを有するマスク部材５が配置されている。
【０００４】
液晶表示素子の映像表示部に映し出される画像の位置は、映像表示部サンプリング信号ＨＰＯＳによりビデオ信号Ｖｉｄｅｏをサンプリングすることにより決まる。映像表示部を黒表示部（常時黒表示）６の内枠に対して中央にするため、水平同期信号ＨＤから映像表示部サンプリング信号ＨＰＯＳが立ち上がるまでの遅延時間Ｔ１を制御することで画像位置が調整されている。
【０００５】
図２は従来技術により液晶表示素子が駆動される構成図である。ビデオ信号Ｖｉｄｅｏは映像表示部サンプリングタイミングジェネレーターにより各画素に供給される。サンプリングされた映像信号はそれぞれのコンデンサＣに蓄えられ、水平方向の１行分の映像信号がサンプリングされると一括して液晶表示素子の所定１行に転送され各画像部のコンデンサ（不図示）に蓄積される。同じように垂直方向の各行に転送され、一画面分が終了すると映像が表示される。黒表示部は映像表示部とは無関係に常時黒表示をしている。図１に示す遅延時間Ｔ１は可変抵抗ＲＶにて設定される電圧に対応したデジタルデータをアナログデジタル変換器ＡＤＣからタイミングジェネーレーターに出力することで可変にでき、黒表示部の内周と映像信号のスタート位置を合わせている。
【０００６】
【発明が解決しようとする課題】
液晶表示素子の映像表示部とマスク部材開口部５ａは、両者の組立位置がずれるとマスク部材の開口部５ａが黒表示部６から外れて映像表示部にかかってしまう可能性がある。黒表示部の幅６ａを大きくできれば組立位置ずれを吸収することが可能であるが、映像表示部をできるだけ大きくするためには黒表示部の幅６ａはできるだけ小さくしなければならない。
【０００７】
前述のように、黒表示部６は固定なので、マスク部材の開口部５ａが映像表示部にかかっても調整ができず、映像表示部が欠けてしまうことがあった。マスク部材の開口部５ａで映像表示部の表示枠を決めるとマスク部材の開口部５ａのラインが見えるため、表示枠がマスク部材開口部５ａの品質に影響されてしまう。
【０００８】
【課題を解決するための手段】
液晶表示素子を構成する画素をマトリックス状に配列した液晶表示素子と、入力映像信号を水平方向へサンプリングすることにより前記液晶表示素子の画素を水平配列方向へ駆動する水平ドライバと、前記入力映像信号を水平ライン単位でサンプリングするように前記液晶表示素子の画素を行単位で指定して垂直方向へドライブする垂直ドライバと、前記液晶表示素子に映し出される映像部分の周囲に開口部を有するマスク部材を用いた液晶表示装置であって、液晶表示素子に映し出される映像部分の周囲に黒表示部を形成し、前記マスク部材の開口部に対して左右（水平方向）の黒表示部が前記開口部から均等に配置されるように調整可能な画面表示位置調整回路を有する液晶表示装置とする。
【０００９】
【発明の実施の形態】
図３は本発明の一実施形態を示す画面表示位置調整回路のタイミングチャートであり（Ｃ）はビデオ（Ｖｉｄｅｏ）信号、（Ｄ）は水平同期（ＨＤ）信号、（Ｅ）は映像表示部サンプリング（ＨＰＯＳ）信号、（Ｆ）はサンプリングされた映像信号（ＶＩＤＥＯ１）、（Ｇ）は表示スタートパルス（ＳＴＡＲＴ）信号である。Ｔ２はＳＴＡＲＴ信号の遅延時間であり、Ｔ３は映像信号のサンプリング開始の遅延時間である。黒表示信号と映像信号が重なるときは、映像信号が優先される。図４は本発明の液晶表示素子が駆動される画面表示位置調整回路の構成図である。
【００１０】
図４において、ＡＤＣには可変抵抗ＲＶ１、ＲＶ２が接続されている。可変抵抗ＲＶ１はＳＴＡＲＴ信号の遅延時間Ｔ２を設定し、可変抵抗ＶＲ２は映像表示部サンプリング信号ＨＰＯＳの立ち上げ信号の遅延時間Ｔ３を設定する。ＲＶ１、ＲＶ２にて設定される電圧に対応したデジタルデータをアナログデジタル変換器ＡＤＣからタイミングジェネーレーターに出力し、タイミングジェネレーターから水平同期信号ＨＤに対して遅延時間Ｔ２、Ｔ３を有するＳＴＡＲＴ信号とＨＰＯＳ信号が出力される。
【００１１】
ＨＰＯＳ信号はビデオ信号と黒表示信号を切り替えるためのスイッチ７に入力される。スイッチ７は黒表示状態にあり、ＨＰＯＳ信号の立ち上がりでＶｉｄｅｏ信号に切り替える。Ｖｉｄｅｏ信号はＨＰＯＳ信号によりサンプリングされてＶＩＤＥＯ１信号として出力される。ＳＴＡＲＴ信号はサンプリングタイミングジェネレーターに入力される。ＳＴＡＲＴ信号で決定したサンプリングタイミングにより黒信号を含むＶＩＤＥＯ１信号をサンプリングし、図中のサンプリングコンデンサＣにデータを蓄積していく。
【００１２】
図５は本発明を説明するための液晶表示装置の上面図（部分）（Ａ）と正面断面図（部分）（Ｂ）及び画面表示位置調整回路駆動のタイミングチャートであり、（Ｃ）はビデオ（Ｖｉｄｅｏ）信号、（Ｄ）は水平同期（ＨＤ）信号、（Ｅ）はＶＩＤＥＯ１信号（Ｆ）はＳＴＡＲＴ１信号、（Ｇ）はＳＴＡＲＴ２信号である。図１と同じものは同じ符号を付してある。
【００１３】
液晶表示装置は液晶表示素子の上面に配置されたマスク部材５の開口部５ａが、右側にずれている状態にある。開口部５ａが黒表示部６の内周６ｂより映像表示部にかかっている状態であるが、これは、本来開口部５ａが液晶表示素子の中央に配置されているとして、ＳＴＡＲＴ１信号とＶＩＤＥＯ１信号が設定されているのに、開口部５ａがずれて組み立てられたためである。
【００１４】
本発明では黒表示部の内周を２点鎖線で示す６ｂ’までずらし、黒表示部の内周がマスク部材の開口部５ａより内側にくるように調整する。図５に示す黒補正量分だけＳＴＡＲＴ２のようにＳＴＡＲＴ１より立ち上がりを早くする。ＳＴＡＲＴ１での黒表示部は左右が均等に設定されているが、ＳＴＡＲＴ２では左の黒表示部を長く、右の黒表示部を短くなるように調整している。これにより、左右の黒表示部が開口部５ａから均等に配置されるように調整でき、映像表示部は黒表示部の中心にあるので、液晶表示素子に対するマスク部材の組み立てずれが補正できる。本発明では、黒表示部と映像表示部は水平方向で連続してサンプリングされ、黒表示部のサンプリング数を調整することで黒表示部の幅を可変としている。液晶表示素子の画素を水平方向へ駆動するドライバと行単位で垂直方向へ駆動するドライバは従来技術と同じである。
【００１５】
以上水平方向の調整について説明したが、垂直方向の調整も同様にできることはいうまでもない。
【００１６】
【発明の効果】
液晶表示素子の黒表示部と映像表示部位置を一緒に調整できるので、液晶表示素子とマスク部材の組立位置がずれても、マスク部材の開口部に対して黒表示部と映像表示部が中央になるように調整でき、開口部が映像表示部にかかるのをなくすことができる。よってマスクの組み立てずれを考慮した黒表示部とする必要がなく、黒表示部の幅を狭くすることができるので、液晶表示素子の映像表示部を大きくすることができる。表示枠は液晶表示素子の黒表示部で決まるため、表示枠の品質を落とすことがない。
【００１７】
また、マスク部材の製造が容易になリ、組立も容易にできる。
【図面の簡単な説明】
【図１】従来技術による液晶表示装置の上面図（部分）（Ａ）と正面断面図（部分）（Ｂ）及び駆動回路のタイミングチャートであり、（Ｃ）はビデオ（Ｖｉｄｅｏ）信号、（Ｄ）は水平同期（ＨＤ）信号、（Ｅ）は映像表示部サンプリング（ＨＰＯＳ）信号、（Ｆ）は画素に映し出される映像信号
【図２】従来技術により液晶表示素子が駆動される構成図
【図３】本発明の一実施形態を示す画面表示位置調整回路のタイミングチャートであり（Ｃ）はビデオ（Ｖｉｄｅｏ）信号、（Ｄ）は水平同期（ＨＤ）信号、（Ｅ）は映像表示部サンプリング（ＨＰＯＳ）信号、（Ｆ）はサンプリングされた映像信号（ＶＩＤＥＯ１）、（Ｇ）は表示スタートパルス（（ＳＴＡＲＴ）信号
【図４】本発明の液晶表示素子が駆動される画面表示位置調整回路の構成図
【図５】本発明を説明するための液晶表示装置の上面図（部分）（Ａ）と正面断面図（部分）（Ｂ）及び画面表示位置調整回路駆動のタイミングチャートであり、（Ｃ）はビデオ（Ｖｉｄｅｏ）信号、（Ｄ）は水平同期（ＨＤ）信号、（Ｅ）はＶＩＤＥＯ１信号（Ｆ）ＳＴＡＲＴ１信号、（Ｇ）はＳＴＡＲＴ２信号
【符号の説明】
１     上基板
２     下基板
３     シール材
４     液晶
５     マスク部材
５ａ   開口部
６     黒表示部
６ａ   黒表示部の幅
６ｂ   黒表示部の内周部
６’   黒表示部の内周部
７     スイッチ
【図１】
0003910833.tif 000002
【図２】
0003910833.tif 000003
【図３】
0003910833.tif 000004
【図４】
0003910833.tif 000005
【図５】
0003910833.tif 000006